(57)【要約】【課題】通話品質を向上させることが可能な電子機器を提供する。【解決手段】互いに開閉自在な第１筐体１０１と第２筐体１０２とを有し、第１筐体１０１は、メイン基板４０と、該メイン基板４０に接続され光信号を送信する光送信部ＴＸ１と、該光送信部ＴＸ１から出力される光信号を伝播する光伝播導音チューブ３３と、メイン基板４０に接続され、音を出力する通話スピーカ２６とを備える。第２筐体１０２は、通話スピーカ２６から出力された音を発する音出力口１１を備える。光伝播導音チューブ３３は、光送信部ＴＸ１から出力された光信号を伝播する光ファイバと、通話スピーカ２６から出力された音を音出力口１１へ出力するための導音部とを備える。【選択図】図５
2009284382.tif 000002
【特許請求の範囲】
【請求項１】
互いに開閉自在な第１の筐体と第２の筐体とを有する電子機器であって、
前記第１の筐体は、
基板と、
該基板に接続され光信号を送信する光送信部と、
該光送信部から出力される光信号を伝播する光伝播部と、
前記基板に接続され、音を出力する第１の音出力部とを備え、
前記第２の筐体は、前記第１の音出力部から出力された音を発する第２の音出力部を備え、
前記光伝播部が、
前記光送信部から出力された光信号を伝播する光伝播部材と、
前記第１の音出力部から出力された音を前記第２の音出力部へ出力するための導音部と
を備える電子機器。
【請求項２】
前記導音部が、
導音空間を形成するシールド材を備え、
該シールド材を前記光伝播部材により覆うことにより形成される
請求項１に記載の電子機器。
【請求項３】
前記第１の筐体が、外部からの音を入力して電気信号に変換するマイクを備える
請求項１又は２に記載の電子機器。
【請求項４】
前記第２の筐体が、
画像を表示する表示部と、
前記光伝播部から送信された光信号を受信する光受信部とを備え、
前記光受信部にて受信した光信号に基づく画像が前記表示部に表示される
請求項１から３のいずれか１項に記載の電子機器。
【発明の詳細な説明】
【技術分野】
【０００１】
本発明は、互いに開閉自在な２つの筐体を有する電子機器に関する。
【背景技術】
【０００２】
互いに開閉自在な２つの筐体を有する代表的な電子機器としては、いわゆる折り畳み（フォルダー）型携帯電話機がある。
フォルダー型の携帯電話機は、ヒンジ部により開閉可能に連結された第１の筐体と第２の筐体を有する。第１の筐体と第２の筐体のそれぞれは、正面視が概ね直方体の薄板形状を有し、閉状態では互いに重ね合わされて正面から見ると互いの輪郭が略一致する。また、第１の筐体に対して第２の筐体を開くと、例えば、筐体の短辺側で連結してヒンジ部を形成している第１の筐体部分と第２の筐体部分が互いに軸回転して、２つの筐体の内側面が見開き状に表出する。
【０００３】
第１の筐体の内側面には、各種操作キー等が配置され、また、第２の筐体の内側面にはメインディスプレイ部が配置されている。そのほか、スピーカ、マイク、カメラモジュール、通信部、信号処理部、記憶デバイス、アンテナ、電池等、様々な機能を実現するための様々な部品が、第１の筐体と第２の筐体の適所に配置され、必要に応じてメインあるいはサブの回路基板に高密度に実装される。
【０００４】
これらの電子部品や機械部品は、操作等に基づいて開始する電気的な制御を受けて機能するため、回路基板や配線などを介して互いに電気的に接続されている。
このため、フォルダー型携帯電話の操作部筐体（第１の筐体）と表示部筐体（第２の筐体）を連結するヒンジ部の内部に、多くの電気信号を通す配線あるいはフレキシブル基板などの細い導電材が何本も通っている。
【０００５】
信号の伝送速度が大きくなれば、細い配線や基板部分から電磁波が発生し、また、この部分が電磁誘導的ノイズを受信しやすくなるため、これらが伝送信号のＳ／Ｎ比低下の原因となる。このＳ／Ｎ比低下を防ぐために上記細い導電材にシールドによるノイズ対策が必要である。
しかし、１本ごとに十分なシールド構造にすると、これを通す機器部分の小型化が困難となる。また、フレキシブル基板をシールド構造にする提案もなされているが、この構造を採ると基板が曲げにくくなるなど、別の弊害が生じる。
【０００６】
他方、光により第１筐体と第２筐体間の信号伝送を行うことができる構成を備えた携帯電話機が提案されている（例えば、特許文献１参照）。
【特許文献１】特開２００７−２６７３５８号公報
【発明の開示】
【発明が解決しようとする課題】
【０００７】
光ファイバなどの光信号伝送部材を用いて画像信号などを光情報として送信することは可能である。
しかしながら、スピーカを直接駆動するための電気信号を光信号伝送部材を用いて伝送することはできない。さらに、光信号にてスピーカを駆動させるための信号を送信するとしても、受信した光信号を、スピーカを駆動するための電気信号に変換するための部材が必要となり、この部材のためにコストが増加する。そのため、光ファイバを用いた上記特許文献１のような技術であっても、スピーカを駆動するための電気信号を、導電体による信号線で筐体間を伝送することが一般的であるが、このスピーカ駆動のための信号線に、通信などに伴うノイズが伝播し、スピーカからこのノイズに伴う音が発音され、通話品質が低下するという問題点を有している。
【０００８】
本発明は、上記事情に鑑みなされたもので、通話品質を向上させることが可能な電子機器を提供することを目的とする。
【課題を解決するための手段】
【０００９】
本発明の一形態に関わる電子機器は、互いに開閉自在な第１の筐体と第２の筐体とを有する電子機器であって、前記第１の筐体は、基板と、該基板に接続され光信号を送信する光送信部と、該光送信部から出力される光信号を伝播する光伝播部と、前記基板に接続され、音を出力する第１の音出力部とを備え、前記第２の筐体は、前記第１の音出力部から出力された音を発する第２の音出力部を備え、前記光伝播部が、前記光送信部から出力された光信号を伝播する光伝播部材と、前記第１の音出力部から出力された音を前記第２の音出力部へ出力するための導音部とを備える。
【００１０】
本発明の他の形態（第２形態）に関わる電子機器は、上記第１形態において、前記導音部が、導音空間を形成するシールド材を備え、該シールド材を前記光伝播部材により覆うことにより形成される。
【００１１】
本発明の他の形態（第３形態）に関わる電子機器は、上記第１又は第２形態において、前記第１の筐体が、外部からの音を入力して電気信号に変換するマイクを備える。
【００１２】
本発明の他の形態（第４形態）に関わる電子機器は、上記第１から第３のいずれか１つの形態において、前記第２の筐体が、画像を表示する表示部と、前記光伝播部から送信された光信号を受信する光受信部とを備え、前記光受信部にて受信した光信号に基づく画像が前記表示部に表示される。
【発明の効果】
【００１３】
本発明によれば、通話品質を向上させることが可能な電子機器を提供できる。
【発明を実施するための最良の形態】
【００１４】
以下、本発明の実施形態を、携帯電話機を例として図面を参照して説明する。ここでは折り畳み（フォルダー）型の携帯電話機を想定している。
図１は、本実施形態に関わる携帯電話機の外観を示す図である。図１（ａ）は開状態の正面図、図１（ｂ）は閉状態の正面図である。
【００１５】
図１に示すように、携帯電話機１００は、操作部１２及びマイクロフォン１３が設けられた第１筐体１０１と、表示部１０及び音出力口１１が設けられた第２筐体１０２とを有する。
第１筐体１０１と第２筐体１０２とは、ヒンジ機構を内包するヒンジ部１０３によって連結される。
ヒンジ機構を内包するヒンジ部１０３は、携帯電話機１００を図１（ａ）に示す開状態と図１（ｂ）に示す閉状態の２種類の状態に遷移させるように、第１筐体１０１と第２筐体１０２とを相対的に回動させることができる。
図１（ａ）に示す開状態では、第１筐体１０１の操作部１２が設けられた面と、第２筐体１０２の表示部１０が設けられた面が見開き状態で表出する。図１（ｂ）に示す閉状態では、操作部１２が設けられた面と表示部１０が設けられた面が内部に畳み込まれ、第１筐体１０１と第２筐体１０２が正面視で互いの輪郭が略一致するように携帯電話機１００の概観がコンパクトになる。
【００１６】
図２は、携帯電話機１００の信号処理系の構成を示すブロック図である。
携帯電話機１００は、ＣＰＵ２０と、ＣＰＵ２０に接続されて制御される各部として、メモリ２１、通信処理部２２、画像処理部２３及び音響処理部２４を備えている。
これらＣＰＵ２０および各部は、例えば、第１筐体１０１内のメイン基板およびキー基板（不図示）と、第２筐体１０２内の表示用基板（不図示）に実装されたＩＣ、電子部品等により構成され、基板配線やフレキシブル基板等の接続部材により互いに電気的に接続されている。なお、詳細は後述するが、この接続部材の一部には、光により情報を伝播する光伝播部材も含まれる。
【００１７】
ＣＰＵ２０及びメモリ２１は、操作部１２等の各種手段からの信号に基づいて所定の制御や演算を行うために設けられている。ＣＰＵ２０は、通信処理部２２、画像処理部２３、音響処理部２４等の各種手段が処理を行うときの制御を実行する。メモリ２１は、この制御に必要なプログラムやデータ、あるいは、操作や処理によって外部から取得したデータを保存する。
【００１８】
通信処理部２２は、高周波回路を含んで構成されている。通信処理部２２は、電波を利用した遠距離無線通信を行うために、ＣＰＵ２０で処理された音響データ、画像データ等の各種データを変調して、アンテナ２５を介して送信する。また、通信処理部２２は、アンテナ２５を介して受信した信号を復調して、復調によって得られた受信データをＣＰＵ２０に出力する。ＣＰＵ２０は、受信データの用途に応じて、例えば、音響処理部２４を制御して音声を再生する、画像処理部２３を制御して画像（静止画または動画）を再生する、あるいは、音声や画像をメモリ２１に保存する等を実行する。
【００１９】
画像処理部２３は、ＣＰＵ２０からの画像データを画像信号に変換し、必要な処理を行って、処理後の画像信号を表示部１０またはサブ表示部（不図示）等へ出力する。
なお、必須ではないため図示を省略しているが、携帯電話機１００がカメラモジュールを有している場合、カメラモジュールから出力される撮像信号（画像データ）を、画像処理部２３が所定のフォーマットの画像データに変換してＣＰＵ２０へ出力する。これに対応してＣＰＵ２０は、画像データをメモリ２１に保存する、通信処理部２２およびアンテナ２５を介して送信するなどを指示する。
また、携帯電話機１００はバイブレータ等に用いるモータやモータドライバも有するが、図２では図示を省略している。
【００２０】
図３に、図２では省略されている第１筐体１０１と第２筐体１０２間の信号伝播のための入出力部の詳細を示す。
図２および図３に示すように、音響処理部２４は、ＣＰＵ２０からの音響データを電気信号に変換して通話のための通話スピーカ２６、着信等を報知するための報知スピーカ２７に出力する。音響処理部２４には、変換後の電気信号を、通話スピーカ２６や報知スピーカ２７で拡声するために必要な振幅に増幅するアンプを含む。よって、通話スピーカ２６及び報知スピーカ２７は、それぞれに適した振幅に調整された電気信号を音響処理部２４から入力し、音（音波）に変換して出力する。上記アンプはＣＰＵ２０の制御によりゲインが変化するように構成されている。このため、通話スピーカ２６または報知スピーカ２７から出力された音の大きさは、ユーザの操作等やアプリケーションに応じて適宜、変更可能である。
【００２１】
図２および図３に示すように、音響処理部２４にマイクロフォン１３が接続されている。
マイクロフォン１３は、入力された音（音波）の強弱や高さ（周波数）を電気信号に変換して音響処理部２４に出力する。音響処理部２４は、マイクロフォン１３からの電気信号を音響データに変換してＣＰＵ２０に出力する。
【００２２】
ここで音には、通信処理部２２やメモリ２１から取得した再生音データ（アプリケーションの再生音、報知音を含む）と、通話時に通信処理部２２から取得した通話音声データがある。このうち前者の再生音データは第１筐体１０１側で再生するものであり、報知スピーカ２７から出力される、あるいは、コネクタ２８を介して不図示のイヤホンやヘッドホンに出力される。
一方、通話音声データは、第２筐体１０２に伝播されて話者（ユーザ）の耳元で出力する必要がある。
【００２３】
本実施形態に関わる携帯電話機１００は、通話音声データを第１筐体１０１の音響処理部２４で増幅した状態で通話スピーカ２６を鳴らし、空気を伝わる音波として第２筐体１０２側に伝播することが１つの特徴である。
図２および図３に示すように、通話スピーカ２６の出力側を閉じるカップから、内部空間が連通した導音部３１が第１筐体１０１と第２筐体１０２間に設けられており、導音部３１の第２筐体１０２側の先端に音出力口１１が設けられている。音出力口１１は、ホーン形状を有することによりある程度広がった音を出力するように構成されることが望ましいが、スピーカの機能は有しておらず、単に、音の出力口である。
【００２４】
この構成は、第２筐体１０２側にスピーカやアンプの機能を持たせず、第１筐体１０１と第２筐体１０２との間にスピーカから音を出力するための電気信号を伝播させないことを目的としている。すなわち、第１筐体１０１に通話スピーカ２６を形成し、信号に基づく発音はスピーカ２６から発するようにする。そして、このスピーカ２６から発せられた音を、光ファイバをまとめることにより構成される導音部３１により、第２筐体１０２に伝播する。このようにして、本実施形態の携帯電話機１００は、第１筐体１０１と第２筐体１０２との間にスピーカから音を出力するための電気信号を伝播させないこととしている。
【００２５】
次に、本実施形態の携帯電話機１００における、光通信のための構成について説明する。
図３に示す携帯電話機１００は、光通信のための構成として、少なくとも、第１筐体１０１に光送信部ＴＸ１を有し、第２筐体１０２に光受信部ＲＸ２とを有している。
【００２６】
光送信部ＴＸ１は、ＣＰＵ２０を介して画像処理部２３から送られてくる、または、ＣＰＵ２０から直接送られてくる画像データを光信号に重畳するために光を変調して、当該光変調後の光を、光伝播部材３２に出力する。光送信部ＴＸ１内には発光素子やその駆動回路等が含まれる。
光受信部ＲＸ２は光伝播部材３２、例えば光ファイバや光導波管等を伝播されてきた光を受光して復調し、変調されている画像データを取り出す。復調後の画像データは表示部１０に送られ、表示部１０は、この画像データに基づく画像（動画または静止画）を再生する。
【００２７】
なお、図３に示すように、光送信部ＴＸ１と光受信部ＲＸ２以外に、第２筐体１０２側から第１筐体１０１側に信号を送ることができるように、第２筐体１０２に光送信部ＴＸ２、第１筐体１０１に光受信部ＲＸ１を備えることが望ましい。
この場合、第２筐体１０２側にもＣＰＵに相当する構成を有し、その構成とＣＰＵ２０が相互通信を双方向の光通信で行うとよい。例えば画像再生の例では、第１筐体１０１側のＣＰＵ２０から送信信号を送り、第２筐体１０２側から確認応答が得られたら、ＣＰＵ２０が第２筐体１０２側に画像データを送るなどの制御が可能である。
【００２８】
本実施形態では、図１に示す携帯電話機１００が薄型化し、ヒンジ部１０３の厚さ制限が厳しくなっている現状に鑑み、導音部３１と光伝播部材３２を一体に形成する。
【００２９】
図４に、光伝播部材３２と導音部３１の機能を併せ持つ光伝播導音チューブ３３の配置と、断面構造を示す。
図４（ａ）は、ヒンジ部１０３を構成する片側の部材１０３Ａが、第２筐体１０２のフロントケース１０２Ａに結合された様子を示した図である。なお、このヒンジ構造は図１の外形を有する携帯電話機１００に適したヒンジの一例である。
図示例のヒンジ部分１０３Ａと、図１において第１筐体１０１側のヒンジ部１０３を構成する部分とは、ともに中空の構造体である。そして、第２筐体１０２のフロントケース１０２Ａに対しては、例えば図示のように光伝播導音チューブ３３が通されて第１筐体１０１側に送られている。
【００３０】
光伝播導音チューブ３３は、例えば図４（ｂ）に示す断面構造を有する。
図４（ｂ）の構造例は「導音の機能を併せ持つ光伝播部」の１つの好ましい例を示すものである。
中空で防水性が高いチューブ状のシールド材３１Ａによって、その内部に導音部３１が形成されている。そして、シールド材３１Ａの外周面が多数の光ファイバで覆われている。光ファイバはガラス製であってもよいが、プラスチック製が望ましい。なお、シールド材３１Ａの防水性が高いため、その外面は一部、光ファイバの隙間で表出するようにしても構わない。
ここでは、送信用の光ファイバ（ＴＸ）３２Ｔが１１本、受信用の光ファイバ（ＲＸ）３２Ｒが１１本、合計２２本の光ファイバでシールド材３１Ａの外面が埋め尽くされている。
【００３１】
光ファイバ自身が曲げに強いが、このような構造にすると、比較的柔らかなシールド材３１Ａによって結合された多数の光ファイバに外力が加わっても、シールド材３１Ａ全体として変形して外力を吸収することができる。ただし、光伝播導音チューブ３３は、導音部３１の空間断面積があまり変化しないように、ある程度の剛性は有している。
【００３２】
例えば図４のように光伝播導音チューブ３３が通され、さらに、不図示の第１筐体１０１側のヒンジ部分に通されて、光伝播導音チューブ３３は、第１筐体１０１と第２筐体１０２間に配置される。
なお、携帯電話機１００の防水性を高めるには、ヒンジ部１０３は防水構造とすることが望ましい。ただしヒンジ部１０３は互いに摺動する２つの部品からなるため、その間を高い水圧にも耐える完全防水とすることは構造的に、コスト的にも障壁が高い。そのような場合、ヒンジ内部にはある程度の水分が入った場合を想定しておく必要がある。
本実施形態では、光伝播導音チューブ３３のように外側を光ファイバで覆い、さらに防水性が高いシールド材３１Ａによって導音部３１が形成されているため、水分が内部にしみ込み、あるいは、水分で腐食するなどの懸念が全くない接続部分が実現できる。
【００３３】
図５は、このようにして第１筐体１０１と第２筐体１０２を光学的に結合した開状態の携帯電話機１００を側面から透視した図である。
図５において、第１筐体１０１内にメイン基板４０が配置され、メイン基板４０の端部付近に、マイクロフォン１３が実装されている。マイクロフォン１３は、その音入り口を、図１に示すような第１筐体１０１の操作面位置になるように配置されている。
メイン基板４０には、光送信部ＴＸ１と通話スピーカ２６（図３参照）が近接して実装されている。この場合、図３に示す通話スピーカ２６のカップがなく、通話スピーカ２６が光送信部ＴＸ１に結合されている。光送信部ＴＸ１に光伝播導音チューブ３３の一端が接続され、光伝播導音チューブ３３はヒンジ部１０３を通って第２筐体１０２内にまで延びている。
【００３４】
一方、第２筐体１０２内に表示用基板４１が配置され、表示用基板４１に光受信部ＲＸ２が実装されている。第２筐体１０２内に延びた光伝播導音チューブ３３は、その他端が光受信部ＲＸ２に接続されている。光伝播導音チューブ３３の他端において導音部３１が音出力口１１に連結している。導音部３１内の内部空間は音出力口１１を通って外気とつながっている。
【００３５】
ここで、図５の構成における光送受信の動作を説明する。
第１筐体１０１内のメイン基板４０には、携帯電話を構成するために必要な（図示しない）回路、例えば図３のＣＰＵ２０、メモリ２１、通信処理部２２、画像処理部２３、音響処理部２４等が実装さている。
この回路で生成された表示用電気信号は、光送信部ＴＸ１により表示用光信号に変換され、光送信部ＴＸ１に接続した光伝播導音チューブ３３の光ファイバを通して、第２筐体１０２内の光受信部ＲＸ２に送られる。
【００３６】
光受信部ＲＸ２は、光送信部ＴＸ１から送出された表示用光信号を受信したら表示用電気信号に変換して表示部１０に送り、表示部１０は表示用電気信号の内容に従って表示を行う。
【００３７】
なお、前述の信号が正しく伝播されたことの確認を行うためには、表示部１０内のＣＰＵ等から確認信号（通例ではＡＣＫ信号）を送出し、この信号は光送信部ＴＸ２より確認用光信号に変換され、光ファイバを通して、第１筐体１０１内の光受信部ＲＸ１に送られる。
光受信部ＲＸ１は、光送信部ＴＸ２から送出された確認用光信号を受信したら、確認用電気信号に変換して（図示しない）回路に送られ、確認動作が成立する。
これによりメイン基板４０に実装されたＣＰＵ２０（図３）は、信号が正しく送られて表示がされたことを知ることができる。
【００３８】
以上のように、本実施形態では光伝播導音チューブ３３が導音部３１を含むようにして、通話などの音は、第１筐体１０１内で増幅後に第２筐体１０２側に、音波（空気振動）として伝播する構成にしている。
【００３９】
すなわち、本実施形態では、表示部筐体（第２筐体１０２）と操作部筐体（第１筐体１０１）を結ぶ接続部（ヒンジ部１０３）内部に通す信号伝送路に光ファイバ等の光伝播部材３２を使用し、かつ、複数本の光伝播部材３２を環状に束ねて配置をして中心に空間を形成し、この空間に空気伝導により音声を通すことにより、通常は表示部筐体に配置される受話スピーカを操作部筐体に配置するようにしている。
【００４０】
このように、本実施形態の携帯電話機では、筐体間において音を電気信号ではなく、空気中を伝播させているため、導電材料（線材等）及び基板のパターンを表示部１０まで引き延ばすことによって生じていた、電波送信時のバーストノイズ等が受話スピーカラインへ飛び込むことがなく通話品質が向上する。
また、本実施形態の携帯電話機では、光伝播部材３２が細く、接続部（ヒンジ）の動きによる影響を受けることが少ないため、ユーザがフォルダーを開閉するごとに接続部（ヒンジ）が動いたとしても、接続部（ヒンジ）内部を通している光伝播部材３２がこの動きによるストレスにより破損されることを軽減できる。
さらに、光伝播導音チューブ構造とすると、多くのデータを細い部材で伝送できるため、携帯電話機の、特にヒンジ部の小型化、薄型化が可能となる。
【００４１】
また、防水携帯電話を考えた場合、接続部（ヒンジ部）の防水化が必要となるが、細い同軸線を使用した構成の場合は、線材が複数本になるため、その全ての線材に対して隙間無く防水加工することが不可能である。また、フレキシブル基板を使用した構成の場合は、信号数に応じて防水加工部分の幅寸法が大きくなるため、薄型化及び小型化が困難となる。それらに対し、本実施形態では、「環状に束ねた光ファイバ」１本で導音機能を備える光伝播部を構成できるため防水加工が容易になる、あるいは、防水加工自体をする必要がなくなる。
【００４２】
なお、図４（ｂ）に示す光伝播導音チューブ３３の構造は一例であり、例えば、光ファイバの束を中心に配置して、その周囲に、ある程度剛性が高いチューブを配置して、そのチューブの環状空間を導音部としてもよい。また、導音部と光伝播部材を別々にして、例えば図４（ａ）の、左右片側ずつに通すようにしてもよい。
本実施形態では、「第１筐体１０１は、基板と、該基板に接続され光信号を送信する光送信部と、該光送信部から出力される光信号を伝播する光伝播部と、前記基板に接続され、音を出力する第１の音出力部とを備え、第２筐体１０２は、第１の音出力部から出力された音を発する第２の音出力部を備え、前記光伝播部が、前記光送信部から出力された光信号を伝播する光伝播部材と、前記第１の音出力部から出力された音を前記第２の音出力部へ出力するための導音部とを備える」ものであれば、上述した説明に限定されず、種々の変形が可能である。
【図面の簡単な説明】
【００４３】
【図１】本発明の実施形態に関わる携帯電話機の外観を示す図である。
【図２】本発明の実施形態に関わる携帯電話機の信号処理系の構成を示すブロック図である。
【図３】本発明の実施形態に関わり、図２では省略されている筐体間の信号伝播のための入出力部の詳細を示すための図である。
【図４】本発明の実施形態に関わる光伝播部（光伝播導音チューブ）の配置と断面構成を模式的に示す図である。
【図５】本発明の実施形態に関わる携帯電話機を側面から透視した図である。
【符号の説明】
【００４４】
１０…表示部、１１…音出力口、１２…操作部、１３…マイクロフォン、２０…ＣＰＵ、２４…音響処理部、２６…通話スピーカ、２７…報知スピーカ、２８…コネクタ、３１…導音部、３１Ａ…シールド材、３２…光伝播部材、３２Ｔ…光ファイバ（ＴＸ）、３２Ｒ…光ファイバ（ＲＸ）、３３…光伝播導音チューブ、１００…携帯電話機、１０１…第１筐体、１０２…第２筐体、１０３…ヒンジ部
【図１】
2009284382.tif 000003
【図２】
2009284382.tif 000004
【図３】
2009284382.tif 000005
【図４】
2009284382.tif 000006
【図５】
2009284382.tif 000007